(57)【要約】【課題】巻き取り終了時における光ファイバの巻き乱れの発生を防ぎ、良好な巻き取り状態で巻き取りを完了させることが可能な光ファイバの巻き取り方法を提供する。【解決手段】本発明の光ファイバの巻き取り方法は、ボビン５に光ファイバ３を巻き取るに際し、ボビン５の回転軸方向に巻き取り位置３ａをトラバースし、ボビン５の胴部５ａの幅に合わせた所定の位置でトラバース方向を反転させることで光ファイバ３を層状に巻き取る方法であって、トラバース方向を反転させる位置を、通常は前記所定の位置とし、巻き取り終了のためにボビン５の回転の減速を開始する際には、反転毎に前々回反転の位置より手前の位置とする。【選択図】図１
2008169077.tif 000002
【特許請求の範囲】
【請求項１】
ボビンに光ファイバを巻き取るに際し、前記ボビンの回転軸方向に巻き取り位置をトラバースし、前記ボビンの胴部の幅に合わせた所定の位置でトラバース方向を反転させることで前記光ファイバを層状に巻き取る光ファイバの巻き取り方法であって、
前記トラバース方向を反転させる位置を、通常は前記所定の位置とし、巻き取り終了のためにボビンの回転の減速を開始する際には、反転毎に前々回反転の位置より手前の位置とすることを特徴とする光ファイバの巻き取り方法。
【請求項２】
前記手前の位置は、１ｍｍ以上手前の位置であることを特徴とする請求項１に記載の光ファイバの巻き取り方法。
【発明の詳細な説明】
【技術分野】
【０００１】
本発明は、光ファイバを巻き取りボビンに積層状態に整列させて巻き取る光ファイバの巻き取り方法に関する。
【背景技術】
【０００２】
これまで、光ファイバ等の線状体の巻き取り方法として、線状体を巻き取る胴部の両側部に鍔部を有した巻き取りボビンを回転駆動させる駆動機構と、巻き取りボビンへの線状体の巻き取り位置を設定するガイドプーリと、巻き取りボビンをその軸方向にトラバースさせるボビントラバース機構と、このボビントラバース機構によるトラバース反転位置を制御するトラバース制御回路とを備えた装置により、線状体を巻き取りボビンに積層状態に整列巻きする方法が各種提案されている(例えば、特許文献1参照)。
【０００３】
【特許文献１】特開平５−３１０３６９号公報
【発明の開示】
【発明が解決しようとする課題】
【０００４】
ところで、巻き取り終了時に巻き取りボビンを停止させるべく減速が開始されると、線状体の張力が不安定になって胴部への巻き取り状態が不安定になり、トラバース方向が反転する顎部付近で巻き乱れが生じることがある。巻き乱れが生じると外観が損なわれるだけでなく、繰り出し時に絡まりやすくなってしまう。
【０００５】
本発明は、巻き取り終了時における光ファイバの巻き乱れの発生を防ぎ、良好な巻き取り状態で巻き取りを完了させることが可能な光ファイバの巻き取り方法を提供することを目的とする。
【課題を解決するための手段】
【０００６】
上記課題を解決することのできる本発明に係る光ファイバの巻き取り方法は、ボビンに光ファイバを巻き取るに際し、前記ボビンの回転軸方向に巻き取り位置をトラバースし、前記ボビンの胴部の幅に合わせた所定の位置でトラバース方向を反転させることで前記光ファイバを層状に巻き取る光ファイバの巻き取り方法であって、前記トラバース方向を反転させる位置を、通常は前記所定の位置とし、巻き取り終了のためにボビンの回転の減速を開始する際には、反転毎に前々回反転の位置より手前の位置とすることを特徴とする。
【０００７】
また、本発明に係る光ファイバの巻き取り方法において、前記手前の位置は、１ｍｍ以上手前の位置であることが好ましい。
【発明の効果】
【０００８】
本発明の光ファイバの巻き取り方法によれば、巻き取り終了時における光ファイバの巻き乱れの発生を防ぎ、良好な巻き取り状態で巻き取りを完了させることができる。
【発明を実施するための最良の形態】
【０００９】
以下、本発明に係る光ファイバの巻き取り方法の好適な実施の形態について、図面を参照して詳細に説明する。
図１〜図３は本発明に係る光ファイバの巻き取り方法の一実施形態を示し、図１は巻き取り装置の概略構成図、図２は巻き取り方法を示す巻き取り速度及び巻き取り幅を示すグラフ図、図３は巻き取り状態を示す巻き取りボビンの概略断面図である。
【００１０】
図１に示した巻き取り装置１は、光ファイバ３を巻き取る円筒状の胴部５ａの両側に鍔部５ｂ，５ｃを有した巻き取りボビン５を回転駆動させる回転駆動機構（図示省略）と、巻き取りボビン５への光ファイバ３の巻き取り位置を設定するガイドプーリ７と、このガイドプーリ７の前段に設けられたダンサローラ（図示省略）と、巻き取りボビン５をその軸方向にトラバースさせ、光ファイバ３の巻き取り層毎に巻き取りボビン５の胴部５ａの幅に合わせた所定の位置でトラバースを反転させるボビントラバース機構９と、ボビントラバース機構９及び回転駆動機構を制御する制御装置１１とを備えている。
【００１１】
ガイドプーリ７の前段に設けられたダンサローラは、ガイドプーリ７の前段の光ファイバ３に宙づり状態に設けられて自体の変位により光ファイバ３の送給量を自動調整するもので、巻き取りボビン５への光ファイバ３の巻き取り速度の変動を防止する。
【００１２】
巻き取りボビン５は、ボビントラバース機構９により、図１の矢印(イ)に示す方向に往復移動可能とされている。
制御装置１１は、巻き取りボビン５の胴部５ａ上での光ファイバ３の巻き取り位置が鍔部５ｂ，５ｃの際の所定の位置まで到達すると、反転の指示をボビントラバース機構９に出して、巻き取りボビン５における巻き取り位置のトラバース方向を反転させる。
【００１３】
巻き取り位置が巻き取りボビン５の鍔部５ｂ，５ｃの際の所定の位置に到達したか否かは、光ファイバ３のパスラインを挟んで配置された一対の鍔検出センサ１５，１６によって行う。
鍔検出センサ１５，１６は、何れも光ファイバ３のパスラインから距離Ｓだけ離れて配置されている。
各顎検出センサ１５，１６は、巻き取りボビン５に向けて出射したセンサ光１５ａ，１６ａの反射位置から、各鍔検出センサ１５，１６の前方に鍔部５ｂ，５ｃが到達したことを検出する。
【００１４】
図１の場合では、巻き取りボビン５の鍔部５ｃが顎検出センサ１６の前方に到達していることを顎検出センサ１６が検出する。このとき、光ファイバ３の巻き取り位置は、鍔部５ｃの際から距離Ｓだけ胴部５ａの軸方向中央側に離れた位置にある。つまり、鍔検出センサ１６が鍔部５ｃの内端を検出した後、更に距離Ｓの分だけ、巻き取りボビン５をトラバースさせれば、光ファイバ３の巻き取り位置が鍔部５ｃの際まで到達したことになる。したがって、鍔検出センサ１６が鍔部５ｃの内端を検出した後、鍔部５ｃの内端位置が更に距離Ｓの分だけ同方向にトラバースした後、トラバース反転を行えば、巻き取られる光ファイバ３は、鍔部５ｃの際で折り返して、今度は鍔部５ｂに向かって整列巻きされることになる。
【００１５】
次に、上記巻き取り装置１によって巻き取りボビン５に光ファイバ３を巻き取らせる場合について説明する。
巻き取りを開始させると、制御装置１１によって回転駆動機構による巻き取りボビン５の回転が開始される。
これにより、図２に示すように、巻き取りボビン５の回転速度に相当する巻き取り速度が増加され、光ファイバ３が所定の巻き取り速度Ｖで巻き取りボビン５の胴部５ａに巻き取られる。
【００１６】
ここで、光ファイバ３の一例を示すと、その外径が約２５０μｍであり、この光ファイバ３が約１〜３ｋｍ／分の線速にて送り込まれ、約４００〜５００μｍ程度のピッチにて巻き取りボビン５の胴部５ａに巻き取られる。
【００１７】
このとき、制御装置１１は、各顎検出センサ１５，１６からの検出信号に基づいて、巻き取りボビン５の胴部５ａ上での光ファイバ３の巻き取り位置が鍔部５ｂ，５ｃの際の所定の位置まで到達したときにボビントラバース機構９に反転の指示を出して、巻き取りボビン５のトラバース方向を反転させる。
これにより、通常は、図２に示すように、巻き取りボビン５には、反転位置が顎部５ｂ，５ｃの際の所定の位置とされた所定の巻き取り幅Ｗにて光ファイバ３が巻き取られる。
【００１８】
その後、この巻き取りボビン５における光ファイバ３の巻き取りがほぼ完了し、巻き取りボビン５による光ファイバ３の巻き取りを終了させるべく、制御装置１１によって回転駆動機構の駆動モータがオフにされる。これにより、巻き取りボビン５は、この時点から回転速度が減速し、その後停止する。
【００１９】
ここで、制御装置１１は、巻き取りボビン５の減速開始時Ｔ以降において、ボビントラバース機構９を制御することにより、巻き取りボビン５のトラバースの反転位置を、前々回の反転位置より１ｍｍ以上手前の位置とする終了処理を行う。すなわち、鍔部５ｂ側の前回の反転位置に対して胴部５ａにおける軸方向の中央側へ変位させ、鍔部５ｃ側の前回の反転位置に対して胴部５ａにおける軸方向の中央側へ変位させる。なお、反転位置の変位量としては、１〜１０ｍｍ程度とすることが好ましい。反転位置の変位量が１ｍｍより少ないと、巻いた後の巻き崩れが発生しやすくなり、反転位置の変位量が１０ｍｍより多いと、その分だけ一回のトラバースにおける巻き取り長さが短くなるため、巻き取りボビン５のトラバースの反転回数が多くなる。
これにより、巻き取りボビン５における光ファイバ３の巻き取り位置３ａは、図２及び図３に示すように、外周側の数層にて、反転位置が顎部５ｂ，５ｃから次第に離され、巻き取り幅が段階的に小さくされる。
【００２０】
このように、上記実施形態によれば、巻き取りボビン５の回転を停止させるべく減速を開始させる時から、巻き取り位置のトラバース方向を、前々回の反転位置より手前の位置で反転させるので、反転位置を顎部５ｂ，５ｃ付近から離すことができる。これにより、巻き取りボビン５の減速による光ファイバ３の張力の不安定化により胴部５ａへの巻き取り状態が不安定となったとしても、顎部５ｂ，５ｃ付近で生じやすい巻き乱れなどによる絡まりを抑えることができ、良好な巻き取り状態及び良好な外観にて巻き取りを完了させることができる。
【００２１】
そして、この巻き取り方法は、特に、破損や損傷を起こすことから張力を高めることが困難である光ファイバ３を巻き取る場合に好適である。
また、巻き取りボビン５の回転の減速を開始させた時点以降における巻き取り位置のトラバース方向の反転位置を、前々回の反転位置よりも手前にずらすことにより、各層における反転位置での巻き崩れを防止することができ、さらなる良好な巻き取り状態を得ることができる。
【００２２】
なお、巻き取りボビン５のトラバースの反転位置を手前へ変位させるタイミングは、巻き取りボビン５の減速開始時Ｔに対して多少前後してもよく、減速開始時Ｔより前に反転位置を手前へ変位させることで、減速により張力が不安定になる前に確実に対応を図ることができる。
【図面の簡単な説明】
【００２３】
【図１】本実施形態の巻き取り方法が適用可能な巻き取り装置の概略構成図である。
【図２】本実施形態の巻き取り方法を説明する巻き取り速度及び巻き取り幅を示すグラフ図である。
【図３】巻き取り状態を示す巻き取りボビンの概略断面図である。
【符号の説明】
【００２４】
３  光ファイバ
３ａ  巻き取り位置
５  巻き取りボビン
５ａ  胴部
５ｂ，５ｃ  顎部
Ｗ  巻き取り幅
【図１】
2008169077.tif 000003
【図２】
2008169077.tif 000004
【図３】
2008169077.tif 000005